(57)【要約】      （修正有）【課題】上板の下面中央に一又は複数の脚を備える支柱を設け、該支柱が上板を支持することができる、構造が単純でかつ製造コストが低減できるこたつを提供する。【解決手段】こたつ１は、上面にこたつ布団を戴置する上板１１と、上板１１の下面中央に戴置し上板１１を支持する支柱１２と、支柱１２を直立に支持する底板１３と、を備えるこたつ１であって、支柱１２は、一又は複数の脚から構成される。【選択図】図１
0003188167.tif 000002
【実用新案登録請求の範囲】
【請求項１】
上面にこたつ布団を戴置する上板と、前記上板の下面中央に戴置し前記上板を支持する支柱と、前記支柱を直立に支持する底板と、を備えるこたつであって、前記支柱は、一又は複数の脚から構成されることを特徴とするこたつ。
【請求項２】
前記支柱は、前記上板の下面に折り畳み自在にヒンジ連結されていることを特徴とする請求項１に記載のこたつ。
【請求項３】
前記脚は、正方形角柱であることを特徴とする請求項１または２に記載のこたつ。
【請求項４】
前記支柱は、四本の前記脚から構成され、
前記上板は、下面中央に前記四本の脚を四つの脚受け部を備え、
前記脚受け部は長方形状の板状部材で構成され、四本の前記脚が立脚したとき前記脚の上面を当接する短片と、四本の前記脚が折り畳まれたとき前記脚の一の側面を当接する長片とを備え、
前記四つの脚受け部は、それぞれの隣接角が直角で、かつ、四つの前記短片が前記上板の下面中央に一つの正方形形状を形成するように配設されることを特徴とする請求項３に記載のこたつ。
【考案の詳細な説明】
【技術分野】
【０００１】
本考案は、上板下面の中央に支柱を設けることで上板を支えることができ、かつ容易に組立分解が可能なこたつに関する。
【背景技術】
【０００２】
従来のこたつは、上板を正方形、長方形又は円形にし、上板下面の四隅に四本の脚を備えることで上板を支持する構造となっている。したがって、上板下面の四隅に脚があるため、多人数でこたつを使用する際、特に四隅に座る人はこたつの脚がじゃまとなって座りにくいという不便さがある。
【０００３】
上記不便さを解消するため、一本足のこたつはいくつか提案されている。特許文献１に係る考案は、中央に一脚だけでテーブルを支えるようにし、発熱体部に直接支柱を連結し、その支柱を安定板に固定して床置きできるようにしたものである。また、特許文献２に係る考案は、四本足を一本にし、天板を円形にするものである。
【先行技術文献】
【特許文献】
【０００４】
【特許文献１】登録実用新案第３００６２１８号公報
【特許文献２】実開平５―９４６０２号公報
【考案の概要】
【考案が解決しようとする課題】
【０００５】
ところが、特許文献１に係る座卓こたつは、天板と支柱の間に熱源体があるため、天板上に人が乗ったりすると熱源体に負荷がかかり破損や火災の危険性がある。また、構造上、組立分解が容易ではない。特許文献２に係る一本足ホームこたつは、構造が単純ではあるものの、収納という点では難がある。
【０００６】
すなわち、多人数の使用が可能で、かつ安定した構造を有し、構造が単純でかつ収納が容易なこたつが求められている。本考案は、このような問題に鑑み、上板の下面中央に一又は複数の脚を備える支柱を設け、該支柱が上板を支持することができる、構造が単純でかつ製造コストが低減できるこたつを提案することを課題とする。
【課題を解決するための手段】
【０００７】
本考案に係るこたつは、上面がこたつ布団を戴置する上板と、上板の下面中央に戴置し上板を支持する支柱と、支柱を直立に支持する底板と、を備えるこたつであって、支柱は、一又は複数の脚部材から構成されることを特徴とする。
【０００８】
なお、支柱は、上板の下面に折り畳み自在にヒンジ連結されるようにすれば、収納に便利で好適である。また、支柱は、四本の正方形角柱の脚部材から構成されるようにし、上板は、下面中央に四本の脚部材を戴置する四つの脚受け部を備え、脚受け部は長方形状の板状部材で構成され、四本の脚部材が立脚したとき脚部材の上面を当接する短片と、四本の脚部材が折り畳まれたとき脚部材の一の側面を当接する長片とを備え、四つの脚受け部は、それぞれの隣接角が直角で、かつ、四つの短片が上板の下面中央に一つの正方形形状を形成するように配設されるようにすると利便性が高くなる。
【考案の効果】
【０００９】
本考案に係るこたつによれば、上板下面の四隅が開放されているため、多人数の使用であっても自由に座ることができる。またさらに、構造が簡易で製造コストを低減でき、支柱をヒンジ連結の脚とすれば収納及び組立が容易となる。
【図面の簡単な説明】
【００１０】
【図１】本考案の実施例１に係るこたつの全体構成を示す正面図（ａ）で、（ｂ）は各部材（熱源を除く）を分解した状態の図である。
【図２】図１に係るこたつの上板の下面を示す図である。
【図３】図１に係るこたつの底板を支柱から外した状態の上面を示す平面図である。
【図４】本考案の実施例２に係るこたつの全体構成を示す図で、各部材（熱源を除く）を分解した状態の図である。
【図５】図４に係るこたつの上板の下面を示す図である。
【図６】本考案の実施例３に係るこたつの全体構成を示す正面図（ａ）で、（ｂ）は上板の下面を示す図である。
【図７】本考案の実施例３に係るこたつの支柱の脚が上板の下面に立脚した状態を示す図である。
【図８】本考案の実施例３に係るこたつの支柱の各脚が折り畳まれて、上板の下面に収納された状態を示す斜視図である。
【考案を実施するための形態】
【００１１】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１２】
実施例１を図面を参照して詳細に説明する。図１は、本考案の実施例１に係るこたつ１の全体構成を示す正面図（ａ）で、（ｂ）は各部材（熱源を除く）を分解した状態の図であり、より詳細には、後述する上板１１の下面中央に穿たれた穴１１１と、底板１３の下面中央に穿たれた穴１３２とが点線で示されている。図２は、図１に係るこたつ１の上板１１の下面を示す図である。図３は、図１に係るこたつ１の底板１３を支柱１２から外した状態の上面を示す平面図である。
【００１３】
まず、こたつ１０の全体構成を説明する。図１（ａ）、（ｂ）に示すとおり、本考案のこたつ１は、大別すると、上板１１と、上板１１を下面中央で支持する支柱１２と、支柱１２を支持する底板１３と、熱源１４とを備える。
【００１４】
図１と図２を参照する。上板１１は、正方形の形状であり、下面中央に雌ねじ状の穴１１１を備え、支柱１２の雄ネジ状の第一の連結部１２１によって支柱１２を連結する。また、底板１３は正方形の形状であり、上板１１と略同じ大きさであることが好ましい。上板１１の上面の任意の隅部分に荷重があってもこたつ全体が倒れないようにするためである。熱源１４は、図２に示すとおり、上板１１の下面に備えられた穴１１１の周囲に配設されている。なお、上板１１は、木板で構成することが好ましい。
【００１５】
図１と図３を参照する。底板１３は四角錐台の形状であって、上面に穴１３２を備え、支柱１２の第二の連結部１２２を嵌めこみ支柱１２を連結する。連結をしっかりと固定するためにねじ留め等するとよい。底板１３は、こたつ１の支柱１２をしっかり支持し、こたつ全体の安定を保持する必要があるので、鉄やステンレス等を加工して構成されるとよい。なお、底板１３の質感が冷たいので、表面にウレタン材や布を貼付けてもよい。
【００１６】
本考案において最も重要な構成要素であり特徴部分である支柱１２は、本体部１２０と、上板１１の下面中央に連結される第一の連結部１２１と、底板１３の上面中央に連結される第二の連結部１２２とを備える。実施例１において、支柱１２の支柱本体１２０は金属棒や木材を、第１の連結部１２１には金属ねじを使用し、第二の連結部１２２は支柱本体１２０の径と同一又は小さい径にするとよい。また、支柱１２を外筒と内筒の二重構造として、外筒と内筒とをネジ等で固定する複筒式構造にして伸縮自在にしてもよい。さらに、伸縮調整に、ガス圧式、スクリュージャッキ式、又はラチェット式等の手段を使用してもよい。
【実施例２】
【００１７】
実施例２を図面を参照して詳細に説明する。
【００１８】
図４は、本考案の実施例２に係るこたつ２の全体構成を示す図で、各部材（熱源を除く）を分解した状態の図である。図５は、図４に係るこたつ２の上板２１の下面を示す図である。
【００１９】
まず、図４及び５を参照しながら、こたつ２の全体構成を簡単に説明する。実施例１と同様に、本考案のこたつ２は、大別すると、上板２１と、上板２１を下面中央で支持する支柱２２と、支柱２２を支持する底板２３と、熱源２４とを備える。実施例２に係るこたつ２は、実施例１のこたつ１の変形例であり、実施例１と実施例２の差異は、実施例１の支柱が一本の脚から構成されているのに対し、実施例２の支柱は八本の脚から構成される違いで、これ以外は実質的に同一であるため、重複する構成部分の詳細な説明は省略する。
【００２０】
上板２１は、正方形の形状であり、下面中央に雌ねじ状の穴２１１ａ、２１１ｂ、２１１ｃ、２１１ｄ、２１１ｅ、２１１ｆ、２１１ｇ、２１１ｈを備え、支柱２２の雄ネジ状の第一の連結部２２１ａ、２２１ｂ、２２１ｃ、２２１ｄ、２２１ｅ、２２１ｆ（図に示さない）、２２１ｇ（図に示さない）、２２１ｈ（図に示さない）によって支柱２２を連結する。熱源２４は、図５に示すとおり、上板２１の下面に備えられた穴２１１ａ、２１１ｂ、２１１ｃ、２１１ｄ、２１１ｅ、２１１ｆ、２１１ｇ、２１１ｈの周囲に配設されている。なお、上板２１は、木板で構成することが好ましい。
【００２１】
本考案において最も重要な構成要素であり特徴部分である支柱２２は、八本の脚から構成され、脚本体部２２０ａ、２２０ｂ、２２０ｃ、２２０ｄ、２２０ｅ、２２０ｆ（図に示さない）、２２０ｇ（図に示さない）、２２０ｈ（図に示さない）と、上板２１の下面中央に連結される第一の連結部２２１ａ、２２１ｂ、２２１ｃ、２２１ｄ、２２１ｅ、２２１ｆ（図に示さない）、２２１ｇ（図に示さない）、２２１ｈ（図に示さない）と、底板２３の上面中央に連結される第二の連結部２２２ａ、２２２ｂ、２２２ｃ、２２２ｄ、２２２ｅ、２２２ｆ（図に示さない）、２２２ｇ（図に示さない）、２２２ｈ（図に示さない）とを備える。つまり、支柱２２は、八本の脚２２０の束により上板２１を支持する。実施例２において、支柱２２を構成する脚の脚本体２２０ａ、２２０ｂ、２２０ｃ、２２０ｄ、２２０ｅ、２２０ｆ（図に示さない）、２２０ｇ（図に示さない）、２２０ｈ（図に示さない）は金属棒や木材を、第１の連結部２２１ａ、２２１ｂ、２２１ｃ、２２１ｄ、２２１ｅ、２２１ｆ（図に示さない）、２２１ｇ（図に示さない）、２２１ｈ（図に示さない）には金属ねじを使用し、第二の連結部２２２ａ、２２２ｂ、２２２ｃ、２２２ｄ、２２２ｅ、２２２ｆ（図に示さない）、２２２ｇ（図に示さない）、２２２ｈ（図に示さない）は支柱の脚本体２２０ａ、２２０ｂ、２２０ｃ、２２０ｄ、２２０ｅ、２２０ｆ（図に示さない）、２２０ｇ（図に示さない）、２２０ｈ（図に示さない）の径と同一又は小さい径にするとよい。なお、実施例２において、支柱２２を構成する脚２２０は八本であるが、限定されることはない。好適には、三本乃至九本で構成されるとよい。
【実施例３】
【００２２】
実施例３を図面を参照して詳細に説明する。
【００２３】
図６は、本考案の実施例３に係るこたつ３の全体構成を示す正面図（ａ）で、（ｂ）は上板３１の下面を示す図である。図７は、本考案の実施例３に係るこたつ３の支柱３２の脚が上板３１の下面に立脚した状態を示す図である。図８は、本考案の実施例３に係るこたつの支柱３２の各脚が折り畳まれて、上板３１の下面に収納された状態を示す斜視図である。
【００２４】
まず、図６を参照しながら、こたつ３の全体構成を簡単に説明する。実施例１及び２と同様に、本考案のこたつ３は、大別すると、上板３１と、上板３１を下面中央で支持する支柱３２と、支柱３２を支持する底板３３と、熱源３４（図に示さない）とを備える。上板３２は、正方形の形状であり、下面中央に四本の脚受け部３５ａ、３５ｂ、３５ｃ、３５ｄを備え、支柱３２を一つの束として構成する脚３２０ａ、３２０ｂ、３２０ｃ、３２０ｄ（図に示さない）を収納自在に支柱３２を連結する。なお、支柱３２の各脚３２０ａ、３２０ｂ、３２０ｃ、３２０ｄ（図に示さない）はヒンジ３６ａ、３６ｂ、３６ｃ、３６ｄ（図に示さない）によって脚受け部３５ａ、３５ｂ、３５ｃ、３５ｄに連結されている。また、熱源３４（図に示さない）は、上板３１の下面において脚受け部３５ａ、３５ｂ、３５ｃ、３５ｄを除く部分に配設されるとよい。上板３１は、木板で構成することが好ましい。
【００２５】
図６、７、８を参照しながら、本考案の実施例３のこたつ３において最も重要な構成要素であり特徴部分である支柱３２と上板３１の連結構造を説明する。支柱３２は、正方角柱の四本の脚３２０ａ、３２０ｂ、３２０ｃ、３２０ｄを備え、立脚したときには四本の脚３２０ａ、３２０ｂ、３２０ｃ、３２０ｄが特定の面で当接し束となって支柱３２を形成し、後述するように上板３１の下面に収納するときにはそれぞれ分離するように構成されている。
【００２６】
図６（ｂ）を参照する。上述したとおり、上板３１は、下面に脚受け部３５ａ、３５ｂ、３５ｃ、３５ｄを備える。脚受け部３５ａ、３５ｂ、３５ｃ、３５ｄは、長方形状の板状部材で、四本の脚３２０ａ、３２０ｂ、３２０ｃ、３２０ｄが立脚したとき、脚の上面を当接する短片３５１ａ、３５１ｂ、３５１ｃ、３５１ｄと、四本の脚３２０ａ、３２０ｂ、３２０ｃ、３２０ｄが折り畳まれたとき、脚の一の側面を当接する長片３５２ａ、３５２ｂ、３５２ｃ、３５２ｄとをそれぞれ備える。脚受け部３５ａ、３５ｂ、３５ｃ、３５ｄは、上板３１の中心に突き合わせて、四つの短片が正方形の形状を形成するように、上板３１の下面に配設される。
【００２７】
図７を参照すると、四本の脚３２０ａ、３２０ｂ、３２０ｃ、３２０ｄが束となって支柱３２を形成していることがわかる。脚３２０ａ、３２０ｂ、３２０ｃ、３２０ｄは、脚受け部３５ａ、３５ｂ、３５ｃ、３５ｄの短片３５１ａ、３５１ｂ、３５１ｃ、３５１ｄに当接して立脚し、ヒンジ３６ａ、３６ｂ、３６ｃ、３６ｄ（図に示さない）によって上板３１を支持することになる。すなわち、上板３１の荷重を四方から支柱で受けることができ、こたつ全体の安定度が増す。また、脚受け部３５ａ、３５ｂ、３５ｃ、３５ｄが上板３１の四辺方向にせり出すこともこたつ全体の安定度の増加に寄与する。一方、図８を参照すると、支柱３２の各脚３２０ａ、３２０ｂ、３２０ｃ、３２０ｄが折り畳まれて、上板３１の下面に収納されている。なお、実施例３のこたつ３の底板３３の穴は、支柱３２を収納できる矩形の大きさを備えればよい。さらに、底板３３に支柱３２が収容される際、支柱３２の各脚３２０ａ、３２０ｂ、３２０ｃ、３２０ｄを束ねた端部に金属製の補強部材を嵌めこむようして底板３３の穴に収容すると支柱３２の安定性がより高まる。このように、上板３１と支柱３２を上記連結構造にすることで、組立分解が容易になり、利便性が高まる。
【００２８】
以上、本考案に係るこたつにおける好ましい実施形態を図示して説明してきたが、本考案の技術的範囲を逸脱することなく種々の変更が可能であることは理解されるであろう。
【産業上の利用可能性】
【００２９】
本考案に係るこたつは、構造が簡易であるので、家庭用として広く利用することができる。
【符号の説明】
【００３０】
１  ２  ３  こたつ
１１  ２１  ３１  上板
１２  ２２  ３２  支柱
１２０  ２２０  支柱本体
３２０ａ、３２０ｂ、３２０ｃ、３２０ｄ  脚
１２１  ２２１  第一の連結部
１２２  ２２２  第二の連結部
１３  ２３  ３３  底板
１４  ２４  ３４  熱源
３５ａ、３５ｂ、３５ｃ、３５ｄ  脚受け部
３６ａ、３６ｂ、３６ｃ、３６ｄ  ヒンジ
【図１】
0003188167.tif 000003
【図２】
0003188167.tif 000004
【図３】
0003188167.tif 000005
【図４】
0003188167.tif 000006
【図５】
0003188167.tif 000007
【図６】
0003188167.tif 000008
【図７】
0003188167.tif 000009
【図８】
0003188167.tif 000010